(57)【要約】【課題】十分な放熱効果を確保できる通風孔を筐体に備えつつ、安価に通風孔の変形を防止することができる遊技台を提供する。【解決手段】遊技台は、遊技に関連する複数の装置が内部に収容可能であって、前記内部の側から外側に貫通する通風孔を少なくとも１つ有する筐体と、前記筐体とは別体であって、前記通風孔に少なくとも一部が挿入されて前記通風孔の変形を抑止する補強部材と、を備える。また、前記補強部材は、前記通風孔における、第１の方向の変形、または、前記第１の方向とは異なる第２の方向の変形を抑止する変形抑止部材を備える。【選択図】図５
2010201018.tif 000002
【特許請求の範囲】
【請求項１】
遊技に関連する複数の装置が内部に収容可能であって、前記内部の側から外側に貫通する通風孔を少なくとも１つ有する筐体と、
前記筐体とは別体であって、前記通風孔に少なくとも一部が挿入されて前記通風孔の変形を抑止する補強部材と、を備えるとともに、
前記補強部材は、
前記通風孔の内壁面に当接することで、前記通風孔の変形を抑止する変形抑止部材を備えることを特徴とする、
遊技台。
【請求項２】
前記補強部材は、
前記筐体の内部の側と外側を連通する連通部をさらに備えることを特徴とする、
請求項１に記載の遊技台。
【請求項３】
前記変形抑止部材は、
前記通風孔の内壁全面に当接することにより、第１の方向の変形、または、前記第１の方向とは異なる第２の方向の変形を抑止可能な部材であることを特徴とする、
請求項１または２に記載の遊技台。
【請求項４】
前記筐体は、
前記通風孔を複数有し、
前記補強部材は、
前記複数の通風孔の各々に挿入される複数の挿入部と、前記複数の挿入部を一体的に支持する支持部を有して構成されていることを特徴とする、
請求項１〜３のいずれかに記載の遊技台。
【請求項５】
前記補強部材は、
前記筐体に係止される係止部材をさらに備えることを特徴とする、
請求項１〜４のいずれかに記載の遊技台。
【請求項６】
前記補強部材は、
前記筐体の内部の側からのみ前記通風孔に着脱可能であることを特徴とする、
請求項１〜５のいずれかに記載の遊技台。
【請求項７】
前記補強部材における前記通風孔への挿入方向の長さは、
前記通風孔の最大深さ以上であることを特徴とする、
請求項１〜６のいずれかに記載の遊技台。
【請求項８】
前記筐体の材質は、
木材であり、
前記補強部材の材質は、
前記筐体よりも強度が高い材質であることを特徴とする、
請求項１〜７のいずれかに記載の遊技台。
【請求項９】
前記通風孔は、
前記筐体の背面に配設されていることを特徴とする、
請求項１〜８のいずれかに記載の遊技台。
【請求項１０】
複数種類の図柄が施された複数のリールと、
前記複数のリールの回転を開始させるスタートスイッチと、
前記複数のリールの各々に対応して設けられ、前記リールの回転を個別に停止させるストップスイッチと、
予め定められた複数種類の入賞役の内部当選の当否を抽選により判定する抽選手段と、
停止時の前記複数のリールにより表示された図柄の組合せが前記抽選手段により内部当選した入賞役の図柄組合せであるか否かにより前記入賞役への入賞を判定する判定手段と、をさらに備えたことを特徴とする、
請求項１〜９のいずれかに記載の遊技台。
【発明の詳細な説明】
【技術分野】
【０００１】
本発明は、スロットマシンやパチンコ機などに代表される遊技台に関する。
【背景技術】
【０００２】
従来の遊技台においては、遊技に関連する装置を収容する筐体は、複数の板状部材の組み付けによって構成されている。ところで、筐体に収容される、遊技に関連する装置の中には、遊技の進行にともなって熱を発する電子部品が含まれるが、発生した熱が筐体内部にこもることによって電子部品が熱を帯び、遊技に影響を与えてしまうことがあった。このような問題を解決するため、例えば特許文献１には、筐体内部にこもった熱を外部へ排出するための発明が開示されている。この発明は、筐体に通風孔を設けることにより、筐体内部で発生した熱を筐体の外部に排出するように構成し、熱暴走によって遊技が中断されてしまうといった問題を解決しようとするものである。
【先行技術文献】
【特許文献】
【０００３】
【特許文献１】特開２００３−１８０９１７号公報
【発明の概要】
【発明が解決しようとする課題】
【０００４】
しかしながら、遊技台は、工場から店舗への運搬時等に衝撃を受けやすい。また、図１０に示すように、遊技台４００は、工場で出荷を待つ期間にも工場の敷地面積上の理由からパレット４０２などに複数個が積み重ねられて保存されることが多く、下部に位置する遊技台４００は、上に積み重ねられた複数の遊技台の荷重を受けることになる。例えば、遊技台４００の１台当りの重量を約４０ｋｇ、パレット４０２の１個あたりの重量を約４０ｋｇと仮定した場合、最下段に位置する遊技台４００には１台当り１８０ｋｇｆ程度の荷重がかかることになる。
【０００５】
さらには、近年、遊技店における遊技台の購入に伴う遊技台の入れ替えにより、その遊技台をリサイクルするような場合がある。その場合、リサイクル業者が引き取るまで、遊技台を倉庫などに一時的に保管することになるが、大型の遊技店などは、その保管台数も多くなり、限られた倉庫のスペースを有効活用するために遊技台を図１０に示すように、積み重ねて保管する場合もある。工場出荷時の保管、遊技店設置後にリサイクルのための保管などにおいて、図１０のような保管をした場合、最下段に位置する遊技台４００には相当程度の荷重がかかることになる。
【０００６】
このため、例えば図１１に示すように、通風孔４０４やその近傍にヒビが入ったり、ひどい場合には通風孔４０４や天板が変形してしまうといった問題があった。一方、運搬時の衝撃を緩和するために、緩衝材等による保護を行うとコストがかさんでしまい、また、遊技台の積み重ねを防止するためにはその分の敷地が必要になるため、莫大なコストがかかってしまうといった問題がある。
【０００７】
本発明は、このような従来の問題点を解決するためになされたものであって、十分な放熱効果を確保できる通風孔を筐体に備えつつ、安価に通風孔の変形を防止することができる遊技台を提供することを目的とする。
【課題を解決するための手段】
【０００８】
（１）本発明は、遊技に関連する複数の装置が内部に収容可能であって、前記内部の側から外側に貫通する通風孔を少なくとも１つ有する筐体と、前記筐体とは別体であって、前記通風孔に少なくとも一部が挿入されて前記通風孔の変形を抑止する補強部材と、を備えるとともに、前記補強部材は、前記通風孔の内壁面に当接することで、前記通風孔の変形を抑止する変形抑止部材を備えることを特徴とする、遊技台である。
【０００９】
（２）本発明はまた、前記補強部材は、前記筐体の内部の側と外側を連通する連通部をさらに備えることを特徴とする、前記（１）に記載の遊技台である。
【００１０】
（３）本発明はまた、前記変形抑止部材は、前記通風孔の内壁全面に当接することにより、第１の方向の変形、または、前記第１の方向とは異なる第２の方向の変形を抑止可能な部材であることを特徴とする、前記（１）または（２）に記載の遊技台である。
【００１１】
（４）本発明はまた、前記筐体は、前記通風孔を複数有し、前記補強部材は、前記複数の通風孔の各々に挿入される複数の挿入部と、前記複数の挿入部を一体的に支持する支持部を有して構成されていることを特徴とする、前記（１）〜（３）のいずれかに記載の遊技台である。
【００１２】
（５）本発明はまた、前記補強部材は、前記筐体に係止される係止部材をさらに備えることを特徴とする、前記（１）〜（４）のいずれかに記載の遊技台である。
【００１３】
（６）本発明はまた、前記補強部材は、前記筐体の内部の側からのみ前記通風孔に着脱可能であることを特徴とする、前記（１）〜（５）のいずれかに記載の遊技台である。
【００１４】
（７）本発明はまた、前記補強部材における前記通風孔への挿入方向の長さは、前記通風孔の最大深さ以上であることを特徴とする、前記（１）〜（６）のいずれかに記載の遊技台である。
【００１５】
（８）本発明はまた、前記筐体の材質は、木材であり、前記補強部材の材質は、前記筐体よりも強度が高い材質であることを特徴とする、前記（１）〜（７）のいずれかに記載の遊技台である。
【００１６】
（９）本発明はまた、前記通風孔は、前記筐体の背面に配設されていることを特徴とする、前記（１）〜（８）のいずれかに記載の遊技台である。
【００１７】
（１０）本発明はまた、複数種類の図柄が施された複数のリールと、前記複数のリールの回転を開始させるスタートスイッチと、前記複数のリールの各々に対応して設けられ、前記リールの回転を個別に停止させるストップスイッチと、予め定められた複数種類の入賞役の内部当選の当否を抽選により判定する抽選手段と、停止時の前記複数のリールにより表示された図柄の組合せが前記抽選手段により内部当選した入賞役の図柄組合せであるか否かにより前記入賞役への入賞を判定する判定手段と、をさらに備えたことを特徴とする、前記（１）〜（９）のいずれかに記載の遊技台である。
【発明の効果】
【００１８】
本発明に係る遊技台は、十分な放熱効果を確保できる通風孔を筐体に備えつつ、安価に通風孔の変形を防止することができる。
【図面の簡単な説明】
【００１９】
【図１】スロットマシンの外観斜視図である
【図２】前面扉を外した状態のスロットマシンの正面図である。
【図３】スロットマシンを左斜め後方から見た外観斜視図である。
【図４】スロットマシンの背面図である。
【図５】（Ａ）補強部材の外観斜視図である。（Ｂ）第１上部通風孔に補強部材を取付けた状態のスロットマシンを左斜め後方から見た外観斜視図である。
【図６】（Ａ）第２実施例に係る補強部材の外観斜視図である。（Ｂ）第１上部通風孔に補強部材を取付けた状態のスロットマシンを左斜め後方から見た外観斜視図である。
【図７】（Ａ）第３実施例に係る補強部材の外観斜視図である。（Ｂ）第１上部通風孔に補強部材を取付けた状態のスロットマシンを左斜め後方から見た外観斜視図である。
【図８】（Ａ）第４実施例に係る補強部材の外観斜視図である。（Ｂ）第５実施例に係る補強部材の外観斜視図である。
【図９】（Ａ）第６実施例に係る補強部材とスロットマシンを示した外観斜視図である。（ｂ）補強部材をスロットマシンに取付けた状態を示した外観斜視図である。
【図１０】従来の遊技台がパレット上に複数積み重ねられている様子を示す外観図である。
【図１１】従来の遊技台において通風孔が変形した様子を示した図である。
【発明を実施するための形態】
【００２０】
以下、図面を用いて、本発明の実施例に係る遊技台（スロットマシン）について詳細に説明する。
【００２１】
＜全体構成＞
まず、図１を用いて、本実施例に係るスロットマシン１００の全体構成について説明する。なお、同図はスロットマシン１００の外観斜視図である。
【００２２】
同図に示すスロットマシン１００は、木製の筐体１０１と、筐体１０１の正面に取付けられ、筐体１０１に対して開閉可能な前面扉１０２と、を備える。筐体１０１の中央内部には、外周面に複数種類の図柄（図１において図示省略）が配置されたリールが３個（左リール１１０、中リール１１１、右リール１１２）収納され、スロットマシン１００の内部で回転できるように構成されている。これらのリール１１０乃至１１２はステッピングモータ等の駆動手段により回転駆動される。
【００２３】
本実施例において、各図柄は帯状部材に等間隔で適当数印刷され、この帯状部材が所定の円形筒状の枠材に貼り付けられて各リール１１０乃至１１２が構成されている。リール１１０乃至１１２上の図柄は、遊技者から見ると、図柄表示窓１１３から縦方向に概ね３つ表示され、合計９つの図柄が見えるようになっている。そして、各リール１１０乃至１１２を回転させることにより、遊技者から見える図柄の組み合せが変動することとなる。つまり、各リール１１０乃至１１２は複数種類の図柄の組合せを変動可能に表示する表示手段として機能する。なお、このような表示手段としてはリール以外にも液晶表示装置等の電子画像表示装置も採用できる。また、本実施例では、３個のリールをスロットマシン１００の中央内部に備えているが、リールの数やリールの設置位置はこれに限定されるものではない。
【００２４】
各々のリール１１０乃至１１２の背面には、図柄表示窓１１３に表示される個々の図柄を照明するためのバックライト（図１において図示省略）が配置されている。バックライトは、各々の図柄ごとに遮蔽されて個々の図柄を均等に照射できるようにすることが望ましい。なお、スロットマシン１００内部において各々のリール１１０乃至１１２の近傍には、投光部と受光部から成る光学式センサ（図示省略）が設けられており、この光学式センサの投光部と受光部の間をリールに設けられた一定の長さの遮光片が通過するように構成されている。このセンサの検出結果に基づいてリール上の図柄の回転方向の位置を判断し、目的とする図柄が入賞ライン上に表示されるようにリール１１０乃至１１２を停止させる。
【００２５】
告知ランプ１２３は、例えば、後述する内部抽選において特定の入賞役（具体的には、ボーナス）に内部当選していること、または、ボーナス遊技中であることを遊技者に知らせるランプである。遊技メダル投入可能ランプ１２４は、遊技者が遊技メダルを投入可能であることを知らせるためのランプである。再遊技ランプ１２２は、前回の遊技において入賞役の一つである再遊技に入賞した場合に、今回の遊技が再遊技可能であること（メダルの投入が不要であること）を遊技者に知らせるランプである。
【００２６】
ベットボタン１３０乃至１３２は、スロットマシン１００に電子的に貯留されているメダル（クレジットという。）を所定の枚数分投入するためのボタンである。本実施例においては、ベットボタン１３０が押下される毎に１枚ずつ最大３枚まで投入され、ベットボタン１３１が押下されると２枚投入され、ベットボタン１３２が押下されると３枚投入されるようになっている。以下、ベットボタン１３２はＭＡＸベットボタンとも言う。なお、遊技メダル投入ランプ１２９は、投入されたメダル数に応じた数のランプを点灯させ、規定枚数のメダルの投入があった場合、遊技の開始操作が可能な状態であることを知らせる遊技開始ランプ１２１が点灯する。
【００２７】
メダル投入口１３４は、遊技を開始するに当たって遊技者がメダルを投入するための投入口である。すなわち、メダルの投入は、ベットボタン１３０乃至１３２により電子的に投入することもできるし、メダル投入口１３４から実際のメダルを投入（投入操作）することもでき、投入とは両者を含む意味である。貯留枚数表示器１２５は、スロットマシン１００に電子的に貯留されているメダルの枚数を表示するための表示器である。遊技情報表示器１２６は、各種の内部情報（例えば、ボーナス遊技中のメダル払出枚数）を数値で表示するための表示器である。払出枚数表示器１２７は、何らかの入賞役に入賞した結果、遊技者に払出されるメダルの枚数を表示するための表示器である。
【００２８】
スタートレバー１３５は、リール１１０乃至１１２の回転を開始させるためのレバー型のスイッチである。即ち、メダル投入口１３４に所望するメダル枚数を投入するか、ベットボタン１３０乃至１３２を操作して、スタートレバー１３５を操作すると、リール１１０乃至１１２が回転を開始することとなる。スタートレバー１３５に対する操作を遊技の開始操作と言う。
【００２９】
ストップボタンユニット１３６には、ストップボタン１３７乃至１３９が設けられている。ストップボタン１３７乃至１３９は、スタートレバー１３５の操作によって回転を開始したリール１１０乃至１１２を個別に停止させるためのボタン型のスイッチであり、各リール１１０乃至１１２に対応づけられている。以下、ストップボタン１３７乃至１３９に対する操作を停止操作と言い、最初の停止操作を第１停止操作、次の停止操作を第２停止操作、最後の停止操作を第３停止操作という。なお、各ストップボタン１３７乃至１３９の内部に発光体を設けてもよく、ストップボタン１３７乃至１３９の操作が可能である場合、該発光体を点灯させて遊技者に知らせることもできる。
【００３０】
メダル返却ボタン１３３は、投入されたメダルが詰まった場合に押下してメダルを取り除くためのボタンである。精算ボタン１３４は、スロットマシン１００に電子的に貯留されたメダル、ベットされたメダルを精算し、メダル払出口１５５から排出するためのボタンである。ドアキー孔１４０は、スロットマシン１００の前面扉１０２のロックを解除するためのキーを挿入する孔である。メダル払出口１５５は、メダルを払出すための払出口である。
【００３１】
音孔１６０はスロットマシン１００内部に設けられているスピーカの音を外部に出力するための孔である。前面扉１０２の左右各部に設けられたサイドランプ１４４は遊技を盛り上げるための装飾用のランプである。前面扉１０２の上部には演出装置１６０が配設されている。この演出装置１９０は、水平方向に開閉自在な２枚の右扉１６３ａ、左扉１６３ｂからなる扉（シャッタ）部材１６３と、この扉部材１６３の奥側に配設された液晶表示装置１５７（図示省略）を備えており、２枚の右扉１６３ａ、左扉１６３ｂが液晶表示装置１５７の手前で水平方向外側に開くと液晶表示装置１５７（図示省略）の表示画面がスロットマシン１００正面（遊技者側）に出現する構造となっている。
【００３２】
図２は前面扉を外した状態のスロットマシン１００の正面図である。筐体１０１は、上面板２６１、左側の側面板２６０、右側の側面板２６０、下面板２６４および背面板２４２で囲われ、前面に開口する箱体である。筐体１０１の内部には、遊技に関連する複数の装置が収容されている。
【００３３】
具体的には、筐体１０１の内部には、内部に主制御基板を収納した主制御基板収納ケース２１０が配置され、この主制御基板収納ケース２１０の下方に、３つのリール１１０乃至１１２が配置されている。主制御基板収納ケース２１０及びリール１１０乃至１１２の側方、即ち向って左側の側面板２６０には、内部に副制御基板を収納した副制御基板収納ケース２２０が配設してある。また、向かって右側の側面板２６０には、主制御基板に接続されて、スロットマシン１００の情報を外部装置に出力する外部集中端子板２４８が取り付けられている。
【００３４】
そして、リール１１０乃至１１２の下方には、メダル払出装置１８０が配設され、このメダル払出装置１８０の後方、即ち背面板２４２側には、電源基板２５４を有する電源装置２５２が配設される。また、電源装置２５２の上方には、スピーカ２５０が配設してある。更に、メダル払出装置１８０の右側には、メダル補助収納庫２４０が配設してある。なお、筐体１０１の内部には、電源スイッチ２４６及び設定スイッチ２４４が設けてある。
【００３５】
電源装置２５２には、電源コードを接続する電源コード接続部２５６が設けてある。この電源コード接続部２５６は、電源コードの一端に設けたＡＣコネクタに対応するコネクタ受である。このコネクタ受は、使用する電源コードに対応して設ければよく、電源コードのコード本体にアース線を含む三極コードを使用しているので、３つの刃部を有している。また、電源コード接続部２５６の下方には、他の装置のアース線を接続するためのアース部２５８が設けてある。電源装置２５２に接続された電源コードは、筐体１０１の背面板２４２に開設した電源コード用穴２６２を通して外部に延出される。
【００３６】
図３はスロットマシン１００を左斜め後方から見た外観斜視図であり、図４はスロットマシン１００の背面図である。筐体１０１の背面板２４２には、複数の上部通風孔２７０と、外部集中端子板ハーネス用孔２７２と、メダル自動補給用孔２７３と、電源ケーブル取り回し孔２７４と、複数の下部通風孔２８０が形成されている。
【００３７】
上部通風孔２７０は、筐体１０１の内部の側と外側を貫通して設けられた横長の孔であり、筐体１０１の内部に収容した各種装置が発生する熱を筐体１０１の外部に逃がす役割を果たしている。本実施例では、鉛直方向３段／水平方向４列に並べて配置された合計１２個の第１の大きさの上部通風孔（以下、第１上部通風孔と称する場合がある）２７０と、これら１２個の第１上部通風孔２７０の下方に配置され、かつ第１上部通風孔２７０よりも長手方向の長さがやや短い第２の大きさの６個の上部通風孔（以下、第２上部通風孔と称する場合がある）２７０が形成されている。
【００３８】
また、上記図２に示されるように、上部通風孔２７０は、内部に主制御基板を収納した主制御基板収納ケース２１０や、内部に副制御基板を収納した副制御基板収納ケース２２０など、筐体１０１の内部に収容した各種装置の中でも熱を発生し易い装置の近傍に設けられており、これにより、筐体１０１の内部に収容した各種装置が発生する熱を筐体１０１の外部に効率的に逃がすように構成している。その上、上部通風孔２７０は、背面板２４２の上方に形成されており、これにより、筐体１０１の内部上方にたまった熱を筐体１０１の外部に効率的に逃がすように構成している。
【００３９】
図３および図４に戻って、下部通風孔２８０は、筐体１０１の内部の側と外側を貫通して設けられた縦長の孔であり、筐体１０１の外部の空気を筐体１０１の内部に取り入れる役割を果たしている。本実施例では、鉛直方向２段／水平方向１０列に並べて配置された合計２０個の下部通風孔２８０が形成されている。下部通風孔２８０は、背面板２４２の下方に形成されており、これにより、筐体１０１の外部下方にたまった冷たい空気を筐体１０１の内部に効率的に取り入れるように構成している。
【００４０】
なお、外部集中端子板ハーネス用孔２７２は、上述の外部集中端子板２４８からの情報を遊技店に供えられた設備に送信するためのハーネス（図示省略）を筐体内部に引き込むための孔である。また、メダル自動補給用孔２７３は、メダル自動補給装置を備えた遊技店でスロットマシン１００を使用する場合に、蓋を取り外してメダル自動補給装置を装着するための孔である。また、電源ケーブル取り回し孔２７４は、上述の電源基板２５４に電源を供給するための電源ケーブル（図示省略）を筐体１０１内部に引き込むための孔である。また、取っ手用孔２７５は、スロットマシン１００の運搬時に指先を引っ掛けるコの字形状の部材（取っ手）を嵌め込むための孔であり、スロットマシン１００が運搬しやすいように、筐体１０１の左側および右側の側面板２６０の中央やや下側にそれぞれ設けられている。
【００４１】
＜補強部材＞
次に、図５を用いて、第１上部通風孔２７０に適用される補強部材３００について詳細に説明する。なお、同図（Ａ）は、補強部材３００の外観斜視図であり、同図（Ｂ）は、第１上部通風孔２７０に補強部材３００を取付けた状態のスロットマシン１００を左斜め後方から見た外観斜視図である。
【００４２】
同図（Ａ）に示すように、補強部材３００は、細い長方形形状の支持部３０２と、この支持部３０２の一方の面に突出形成された４つの突出部３０４によって構成されている。突出部３０４の外形形状は、第１上部通風孔２７０に嵌合可能な相補的形状に成形されており、突出部３０４を第１上部通風孔２７０に嵌合させた場合に、突出部３０４の長手方向および短手方向のすべての側面が第１上部通風孔２７０の内壁に当接するように成形されている。また、突出部３０４の高さＨ１（補強部材３００の挿入方向の長さ）は、第１上部通風孔２７０の最大深さＨ２と略同一とされているとともに、４つの突出部３０４は、第１上部通風孔２７０の水平方向の間隔Ｗ１と同じ間隔Ｗ１を空けて、支持部３０２の一方の面に突出形成されている。同図（Ｂ）に示すように、補強部材３００の４つの突出部３０４は、筐体１０１の内側から外側に向けて４つの第１上部通風孔２７０にそれぞれ嵌合され、突出部３０４を第１上部通風孔２７０に完全に嵌合させた状態では、突出部３０４における筐体１０１の外側の面は、第１上部通風孔２７０における筐体１０１の外側の面と面一となる。
【００４３】
このように、補強部材３００を第１上部通風孔２７０に挿入することによって第１上部通風孔２７０に加えられる外力による変形を抑止することが可能であるとともに、遊技中等の筐体内部に熱が発生する場合には補強部材３００を取り外すことで、本来の通風孔としての役割を果たすことが可能となる。
【００４４】
なお、この例では、すべての突出部３０４の外形形状を第１上部通風孔２７０の相補的形状としたが、例えば、補強部材が、形状が異なる複数種類の突出部（例えば、第１上部通風孔２７０の相補的形状を有する突出部と第２上部通風孔２７０の相補的形状を有する突出部）を備えていてもよい。また、複数の突出部３０４を長手方向に並べて形成する例を示したが、複数の突出部３０４を短手方向に並べて形成してもよいし、長手方向および短手方向の両方向に並べて形成してもよい。
【００４５】
＜他の実施例に係る補強部材＞
次に、図６〜図９を用いて、他の実施例に係る補強部材について詳細に説明する。図６（Ａ）は第２実施例に係る補強部材３１０の外観斜視図であり、同図（Ｂ）は、第１上部通風孔２７０に補強部材３１０を取付けた状態のスロットマシン１００を左斜め後方から見た外観斜視図である。
【００４６】
補強部材３１０は、細い長方形形状の支持部３１２と、この支持部３１２の一方の面に突出形成された４つの突出部３１４によって構成されている。突出部３１４の外形形状は、第１上部通風孔２７０の内壁形状よりもやや小さい形状であり、突出部３１４の長手方向両面には、それぞれ２つの係止爪３１４ａが形成されている（図６には、突出部３１４の長手方向上面に形成された２つの係止爪３１４ａだけを図示）。また、各々の突出部３１４には、複数（この例では、５個）の仕切り（リブ）によって複数（この例では、６個）に区分けされ、かつ支持部３１２および突出部３１４を貫通する貫通孔３１４ｂが形成されている。同図（Ｂ）に示すように、補強部材３１０の４つの突出部３１４は、筐体１０１の外側から内側に向けて４つの第１上部通風孔２７０にそれぞれ嵌合され、突出部３１４を第１上部通風孔２７０に完全に嵌合させた状態では、突出部３１４の係合爪３１４ａが背面板２４２の内面に係止されることによって補強部材３１０が背面板２４２に固定される。
【００４７】
このように、係止爪３１４ａを設けることによって、補強部材３１０を第１上部通風孔２７０に確実に取り付けることができ、第１上部通風孔２７０から補強部材３１０が抜け落ちることを防止できる。また、係止爪３１４ａによる係止を筐体１０１の内部からのみ解除可能に構成することによって、筐体１０１の内部に備えられた遊技に関連する装置を通風孔から操作する等の不正行為を抑止できる場合がある。
【００４８】
また、図７（Ａ）は第３実施例に係る補強部材３２０の外観斜視図であり、同図（Ｂ）は、第１上部通風孔２７０に補強部材３２０を取付けた状態のスロットマシン１００を左斜め後方から見た外観斜視図である。
【００４９】
補強部材３２０は、長方形形状の支持部３２２と、この支持部３３２の一方の面に突出形成された複数（この例では、６個）の突出部３２４によって構成されている。突出部３２４の外形形状は、第１上部通風孔２７０の端部に嵌合可能な相補的形状に形成されており、突出部３２４を第１上部通風孔２７０に嵌合させた場合に、突出部３２４の３つの面３２４ａ〜３２４ｃが第１上部通風孔２７０の端部の内壁に当接するように成形されている。また、突出部３２４の高さ（補強部材３２０の挿入方向の長さ）Ｈ３は、第１上部通風孔２７０の最大深さＨ４よりもやや高くなるように成形されているとともに、水平方向に隣接する２つの突出部３２４は、第１上部通風孔２７０の水平方向の間隔Ｗ１と同じ間隔Ｗ１を空けて、支持部３２２の一方の面に突出形成されている。同図（Ｂ）に示すように、補強部材３２０の６つの突出部３２４は、筐体１０１の内側から外側に向けて６つの第１上部通風孔２７０の端部にそれぞれ嵌合され、突出部３２４を第１上部通風孔２７０に完全に嵌合させた状態では、突出部３２４における筐体１０１の外側の面は、第１上部通風孔２７０における筐体１０１の外側の面よりもやや突出した状態となる。
【００５０】
このように、補強部材３２０の突出部３２４の高さＨ３を、第１上部通風孔２７０の最大深さＨ４以上とすれば、第１上部通風孔２７０の端部において強度の補強がなされない部分ができるのを防ぎ、第１上部通風孔２７０の端部の変形を確実に抑止することができる。また、補強部材３２０を、隣接する２つの第１上部通風孔２７０に跨って配設することによって、隣接する２つの第１上部通風孔２７０の境界部分の筐体の強度を高めることができる。さらに、突出部３２４を第１上部通風孔２７０の一部の領域に配設することによって（第１上部通風孔２７０に隙間を空けることによって）、第１上部通風孔２７０の通風孔としての機能を生かしつつ、、第１上部通風孔２７０の強度を高めることができる。なお、この例では、補強部材３２０を筐体１０１に対して着脱可能に構成したが、補強部材３２０を筐体１０１に接着してもよい。
【００５１】
また、図８（Ａ）は第４実施例に係る補強部材３３０の外観斜視図である。この補強部材３３０は、板状の水平部材３３０ａと、この水平部材３３０ａの上面および下面の両側に突出形成された複数（この例では、５個）の垂直部材３３０ｂによって構成されている。水平部材３３０ａの長手方向の長さは、第１上部通風孔２７０の長手方向の長さと略同一とされているとともに、垂直部材３３０ｂの長手方向の長さは、第１上部通風孔２７０の短手方向の長さと略同一とされている。したがって、補強部材３３０を第１上部通風孔２７０に挿入・嵌合させた場合、水平部材３３０ａは第１上部通風孔２７０の長手方向の変形を阻止する部材として機能し、垂直部材３３０ｂは第１上部通風孔２７０の短手方向の変形を阻止する部材として機能する。
【００５２】
また、図８（Ｂ）は第５実施例に係る補強部材３４０の外観斜視図である。この補強部材３４０は、板状の水平部材３４０ａと、この水平部材３４０ａの上面および下面の両側に突出形成された複数（この例では、５個）の垂直部材３４０ｂと、水平部材３４０ａと垂直部材３４０ｂの外周を取り囲む外筒部材３４０ｃと、この外筒部材３４０ｃの一方の面に突出形成された外縁部材３４０ｄによって構成されている。また、外筒部材３４０ｃの外形形状は、第１上部通風孔２７０に嵌合可能な相補的形状に成形されており、外筒部材３４０ｃを第１上部通風孔２７０に嵌合させた場合に、外筒部材３４０ｃの長手方向および短手方向の外面が第１上部通風孔２７０の内壁すべてに当接するように成形されている。したがって、補強部材３４０を第１上部通風孔２７０に嵌合させた場合、外筒部材３４０ｃは、第１上部通風孔２７０のすべての方向の変形を阻止する部材として機能する。また、外縁部材３４０ｄの外形形状は、第１上部通風孔２７０よりもやや大きな形状に形成されている。したがって、補強部材３４０を筐体１０１の外部から内部（または、内部から外部）に向けて第１上部通風孔２７０に嵌合させた場合、外縁部材３４０ｄは、補強部材３４０の嵌合位置を決めるための位置決め部材として機能する。
【００５３】
また、図９（Ａ）は第６実施例に係る補強部材３５０とスロットマシン１００を示した外観斜視図であり、同図（ｂ）は補強部材３５０をスロットマシン１００に取付けた状態を示した外観斜視図である。この補強部材３５０は、細い長方形状の支持部３５２と、正方形形状の天板３５４によって構成されている。支持部３５２には、第１上部通風孔２７０の相当位置に複数の貫通孔３５２ａが形成され、また、天板３５４には、筐体１０１に形成された係合凹部１０１ａに係合可能な係合爪３５４ａが形成されている。同図（Ｂ）に示すように、補強部材３５０は、天板３５４の係止爪３５４ａによって筐体１０１に固定される。このため、補強部材３５０を、より確実に筐体１０１に固定することが可能となる。
【００５４】
以上説明したように、本実施例に係るスロットマシン１００は、遊技に関連する複数の装置（例えば、主制御基板収納ケース２１０やリール１１０〜１１２など）が内部に収容可能であって、前記内部の側から外側に貫通する通風孔（例えば、上部通風孔２７０）を少なくとも１つ有する筐体（例えば、筐体１０１）と、前記筐体とは別体であって、前記通風孔に少なくとも一部が挿入されて前記通風孔の変形を抑止する補強部材（例えば、補強部材３００）と、を備えるとともに、前記補強部材は、前記通風孔の内壁面に当接することで、前記通風孔の変形を抑止する変形抑止部材（例えば、突出部３０４）を備えることを特徴とする、遊技台である。
【００５５】
本実施例に係るスロットマシン１００によれば、通風孔の変形を抑止する補強部材を筐体とは別体に備えたことで、装着時には通風孔に加えられる外力による変形を抑止することが可能で、遊技中等の筐体内部に熱が発生する場合には取り外すことで、本来の通風孔としての役割を果たすことが可能となる。このため、十分な放熱効果を確保できる通風孔を筐体に備えつつ、安価に通風孔の変形を防止できる場合がある。
【００５６】
また、上記図６に示したように、前記補強部材（例えば、補強部材３１０）は、前記筐体の内部の側と外側を連通する連通部（例えば、貫通孔３１４ｂ）をさらに備えてもよい。
【００５７】
このような構成とすれば、通風孔の変形を抑止しつつ、連通部により、筐体内部の熱を筐体外部へと排出できる場合がある。
【００５８】
また、前記変形抑止部材（例えば、突出部３０４）は、前記通風孔の内壁全面に当接することにより、第１の方向（例えば、通風孔の長手方向）の変形、または、前記第１の方向とは異なる第２の方向（例えば、通風孔の短手方向）の変形を抑止可能な部材であってもよい。
【００５９】
このような構成とすれば、例えば、補強部材を通風孔の内壁全面に当接させることによってすべての方向の外力に対する強度を高めることができ、通風孔の変形を、より一層抑止できる場合がある。
【００６０】
また、前記筐体は、前記通風孔を複数有し、前記補強部材は、前記複数の通風孔の各々に挿入される複数の挿入部（例えば、突出部３０４）と、前記複数の挿入部を一体的に支持する支持部（例えば、支持部３０２）を有して構成されていてもよい。
【００６１】
このような構成とすれば、複数の通風孔を単一の補強部材で補強することにより、補強部材の取り付けにかかる工程を削減できる場合がある。
【００６２】
また、上記図６に示したように、前記補強部材（例えば、補強部材３１０）は、前記筐体に係止される係止部材（例えば、係止爪３１４ａ）をさらに備えていてもよい。
【００６３】
このような構成とすれば、係止手段により補強部材を通風孔に確実に取り付けることができ、通風孔から補強部材が抜け落ちることを防止できる場合がある。
【００６４】
また、前記補強部材は、前記筐体の内部の側からのみ前記通風孔に着脱可能であってもよい。
【００６５】
このような構成とすれば、遊技者には操作不能な位置である筐体内部からのみ補強部材を着脱可能にすることで、取外しによる補強部材の紛失や、内部に備えられた遊技に関連する装置を通風孔から操作する等の不正行為を抑止できる場合がある。
【００６６】
また、前記補強部材における前記通風孔への挿入方向の長さは、前記通風孔の最大深さ以上であってもよい。
【００６７】
このような構成とすれば、補強部材を通風孔の奥行き以上に設けることにより、強度の補強がされない部分ができるのを防ぎ、通風孔全体の変形を抑止できる場合がある。
【００６８】
また、前記筐体の材質は、木材であり、前記補強部材の材質は、前記筐体よりも強度が高い材質（例えば、木材、プラスチック、鉄など）であってもよい。
【００６９】
このような構成とすれば、筐体のコストアップを回避しつつ、筐体の強度を従来よりも高めることができる場合がある。
【００７０】
また、前記通風孔は、前記筐体の背面に配設されていてもよい。
【００７１】
このような構成とすれば、筐体内部の熱を逃がすための通風孔が背面に設けられている場合でも通風孔の強度を高めることができる場合がある。特に、前記通風孔が、前記筐体の背面の上方に配設されていたり、筐体の内部に収容される遊技装置の近傍に配設されていれば、通風孔の強度を確保しつつ、筐体内部で発生する熱を効率的に外部に排出することができる場合がある。
【００７２】
また、補強部材と筐体を紐やチェーンなどで繋ぐようにすれば、補強部材の紛失を未然に防止することができ、利便性を高めることができる場合がある。
【００７３】
なお、上記実施例においては、メダル（コイン）を遊技媒体としたスロットマシンの例を示したが、本発明はこれに限定されるものではなく、例えば、遊技球（例えば、パチンコ玉）を遊技媒体としたスロットマシンやパチンコ機などにも適用可能である。
【００７４】
また、本発明の実施の形態に記載された作用および効果は、本発明から生じる最も好適な作用および効果を列挙したに過ぎず、本発明による作用および効果は、本発明の実施の形態に記載されたものに限定されるものではない。また、実施例に記載した複数の構成のうち、１つの構成に記載している内容を、他の構成に適用することでより遊技の幅を広げられる場合がある。
【産業上の利用可能性】
【００７５】
本発明に係る遊技台は、スロットマシンやパチンコ等に代表される遊技台に適用することができる。
【符号の説明】
【００７６】
１００  スロットマシン
１０１  筐体
１０２  前面扉
１１０、１１１、１１２  リール
１１３  図柄表示窓
１３５  スタートレバー
１３７、１３８、１３９  ストップボタン
１５７  液晶表示装置
２４２  背面板
２７０  上部通風孔
３００、３１０、３２０、３３０、３４０、３５０  補強部材
【図１】
2010201018.tif 000003
【図２】
2010201018.tif 000004
【図３】
2010201018.tif 000005
【図４】
2010201018.tif 000006
【図５】
2010201018.tif 000007
【図６】
2010201018.tif 000008
【図７】
2010201018.tif 000009
【図８】
2010201018.tif 000010
【図９】
2010201018.tif 000011
【図１０】
2010201018.tif 000012
【図１１】
2010201018.tif 000013